(57)【特許請求の範囲】
【請求項１】
多数のゲート線、前記多数のゲート線に絶縁されて交差する多数のデータ線、前記ゲート線に連結されるゲート電極と前記データ線に連結されるソース電極とを有する薄膜トランジスタを含む液晶表示装置パネルと、
前記薄膜トランジスタをオンにするためのゲート駆動信号を前記ゲート線に順次に供給するためのゲートドライバと、
前記多数のデータ線を所定の数のデータ線が含まれるＸ個のブロックに分け、ｎ番目のブロックに含まれるデータ線に画像信号を印加すると同時にｎ＋ｊ番目のブロックに含まれるデータ線に予備充電電圧を印加するデータドライバと、を含み、
前記ｎ番目のブロックに含まれるデータ線に画像信号を印加するタイミングと、前記ｎ＋ｊ番目のブロックに予備充電電圧を印加するタイミングとは互いに同一である、液晶表示装置。
【請求項２】
前記データドライバは、
前記Ｘ個のブロックのうちの対応する１つのブロックを選択するためのブロック選択信号を生成するブロック選択信号生成器と、
選択されたブロックに含まれる前記データ線に印加する画像信号を生成する画像信号生成器と、
選択されたブロックに含まれる前記データ線に印加する予備充電電圧を生成する予備充電信号発生器と、
それぞれ前記画像信号をＸ個のブロックのうちの対応する１つのブロックに印加するようにスイッチングを行うＸ個の画像信号選択スイッチブロックと、
それぞれ前記予備充電電圧をＸ個のブロックのうちの対応する１つのブロックに印加するようにスイッチングを行うＸ個の予備充電選択スイッチブロックとを含み、
前記ブロック選択信号のうちのｎ番目のブロック選択信号はｎ番目の画像信号選択スイッチブロックとｎ＋ｊ番目の予備充電選択スイッチブロックとを同時にターンオンさせる請求項１に記載の液晶表示装置。
【請求項３】
前記予備充電電圧は１つの電圧レベルであることを特徴とする請求項２に記載の液晶表示装置。
【請求項４】
前記予備充電電圧は、前記画像信号の最大値と前記画像信号の最小値との中間値であることを特徴とする請求項３に記載の液晶表示装置。
【請求項５】
前記Ｘ個の画像信号選択スイッチブロックのうちのｎ番目の選択スイッチブロックは、それぞれソースに前記画像信号が印加され、ドレーンにＹ個のデータ線が連結され、ゲートにｎ番目のブロック選択信号が印加される少なくともＹ個の第１MOSトランジスタを含み、
前記Ｘ個の予備充電選択スイッチブロックのうちのｎ番目の選択スイッチブロックは、それぞれソースに前記予備充電電圧が印加され、ドレーンにＹ個のデータ線が連結され、ゲートにｎ−ｊ番目のブロック選択信号が印加される少なくともＹ個の第２MOSトランジスタを含む請求項３に記載の液晶表示装置。
【請求項６】
前記第１及び第２MOSトランジスタは、前記液晶表示装置パネルの基板上に薄膜トランジスタにより製造されることを特徴とする請求項５に記載の液晶表示装置。
【請求項７】
前記薄膜トランジスタは多結晶シリコン又は単結晶シリコンからなることを特徴とする請求項６に記載の液晶表示装置。
【請求項８】
前記予備充電電圧は、それぞれ第１電圧レベルと第２電圧レベルを有する第１予備充電信号と第２予備充電信号とを含むことを特徴とする請求項２に記載の液晶表示装置。
【請求項９】
前記第１予備充電信号及び前記第２予備充電信号は、前記画像信号の最大値と中間値との間の所定の値と、前記画像信号の最小値と中間値との間の所定の値とを有することを特徴とする請求項８に記載の液晶表示装置。
【請求項１０】
前記Ｘ個の画像信号選択スイッチブロックのうちのｎ番目の選択スイッチブロックは、ソースに前記画像信号が印加され、ドレーンにＹ個のデータ線が連結され、ゲートにｎ番目のブロック選択信号が印加される少なくともＹ個の第１MOSトランジスタを含み、
前記Ｘ個の予備充電選択スイッチブロックのうちのｎ番目の選択スイッチブロックは、それぞれソースに前記第１予備充電信号又は第２予備充電信号が印加され、ドレーンにＹ個のデータ線が連結され、ゲートにｎ−ｊ番目のブロック選択信号が印加される少なくともＹ個の第２MOSトランジスタを含む請求項９に記載の液晶表示装置。
【請求項１１】
前記第１予備充電信号は前記第２MOSトランジスタのうちの奇数番目のデータ線に連結されたMOSトランジスタのソースに印加され、
前記第２予備充電信号は前記第２MOSトランジスタのうちの偶数番目のデータ線に連結されたMOSトランジスタのソースに印加される請求項１０に記載の液晶表示装置。
【請求項１２】
前記第１及び第２MOSトランジスタは、前記液晶表示装置パネルの基板上に薄膜トランジスタにより製造されることを特徴とする請求項１１に記載の液晶表示装置。
【請求項１３】
前記薄膜トランジスタは多結晶シリコン又は単結晶シリコンからなることを特徴とする請求項１２に記載の液晶表示装置。
【請求項１４】
多数のゲート線、前記多数のゲート線に絶縁されて交差する多数のデータ線、前記ゲート線と前記データ線との交差によって形成される行列形態の多数の画素、前記各画素に形成されて前記ゲート線に連結されるゲート電極と前記データ線に連結されるソース電極とを有する薄膜トランジスタを含む液晶表示装置の駆動装置において、
前記薄膜トランジスタをオンにするためのゲート駆動信号を前記ゲート線に順次に供給するためのゲートドライバと、
前記多数のデータ線を所定の数のデータ線が含まれるＸ個のブロックに分け、ｎ番目のブロックに含まれるデータ線に画像信号を印加すると同時にｎ＋ｊ番目のブロックに含まれるデータ線に予備充電電圧を印加するデータドライバとを含み、
前記ｎ番目のブロックに含まれるデータ線に画像信号を印加するタイミングと、前記ｎ＋ｊ番目のブロックに予備充電電圧を印加するタイミングとは互いに同一である、液晶表示装置の駆動装置。
【請求項１５】
前記データドライバは、
前記Ｘ個のブロックのうちの対応する１つのブロックを選択するためのブロック選択信号を生成するブロック選択信号生成器と、
選択されたブロックに含まれる前記データ線に印加する画像信号を生成する画像信号生成器と、
選択されたブロックに含まれる前記データ線に印加する予備充電電圧を生成する予備充電信号発生器と、
それぞれ前記画像信号をＸ個のブロックのうちの対応する１つのブロックに印加するようにスイッチングを行うＸ個の画像信号選択スイッチブロックと、
それぞれ前記予備充電電圧をＸ個のブロックのうちの対応する１つのブロックに印加するようにスイッチングを行うＸ個の予備充電選択スイッチブロックとを含み、
前記ブロック選択信号のうちのｎ番目のブロック選択信号はｎ番目の画像信号選択スイッチブロックとｎ＋ｊ番目の予備充電信号選択スイッチブロックとを同時にターンオンさせる請求項１４に記載の液晶表示装置の駆動装置。
【請求項１６】
前記ｊは１であることを特徴とする請求項１５に記載の液晶表示装置の駆動装置。
【請求項１７】
ｉ番目の画素ラインの１番目のブロックの予備充電のために１番目の予備充電選択スイッチブロックに印加されるブロック選択信号としては、ｉ−１番目の画素ラインの最後のブロックに画像信号を印加するために最後の画像信号選択スイッチブロックに印加されるブロック選択信号が使用されることを特徴とする請求項１６に記載の液晶表示装置の駆動装置。
【請求項１８】
ｉ番目の画素ラインの１番目のブロックの予備充電のために１番目の予備充電選択スイッチブロックに印加されるブロック選択信号としては、別途の１番目のブロック用予備充電信号を作って使用することを特徴とする請求項１５に記載の液晶表示装置の駆動装置。
【請求項１９】
前記１番目のブロック用予備充電信号は、１つの水平同期信号区間のうちの無効データ区間で生成されることを特徴とする請求項１８に記載の液晶表示装置の駆動装置。
【請求項２０】
前記予備充電電圧は１つの電圧レベルであることを特徴とする請求項１５に記載の液晶表示装置の駆動装置。
【請求項２１】
前記Ｘ個の画像信号選択スイッチブロックのうちのｎ番目の選択スイッチブロックは、それぞれ第１端子に前記画像信号が印加され、第２端子にＹ個のデータ線が連結され、第３端子にｎ番目のブロック選択信号が印加される少なくともＹ個の第１スイッチング素子を含み、
前記Ｘ個の予備充電選択スイッチブロックのうちのｎ番目の選択スイッチブロックは、それぞれ第１端子に前記予備充電電圧が印加され、第２端子にＹ個のデータ線が連結され、第３端子にｎ−ｊ番目のブロック選択信号が印加される少なくともＹ個の第２スイッチング素子を含み、
前記第１及び第２スイッチング素子はそれぞれ前記第３端子に連結されたブロック選択信号によって、前記第１端子に印加された画像信号及び予備充電電圧をデータ線に印加する請求項２０に記載の液晶表示装置の駆動装置。
【請求項２２】
前記第１及び第２スイッチング素子は、それぞれソースに前記画像信号及び予備充電電圧が印加され、ドレーンにＹ個のデータ線が連結され、ゲートに前記ブロック選択信号が印加されるモストランジスタである請求項２１に記載の液晶表示装置の駆動装置。
【請求項２３】
前記予備充電電圧はそれぞれ第１電圧レベルと第２電圧レベルを有する第１予備充電信号と第２予備充電信号とを含むことを特徴とする請求項１５に記載の液晶表示装置の駆動装置。
【請求項２４】
前記第１予備充電信号及び第２予備充電信号の大きさはフレーム単位で変化することを特徴とする請求項２３に記載の液晶表示装置の駆動装置。
【請求項２５】
前記Ｘ個の画像信号選択スイッチブロックのうちのｎ番目の選択スイッチブロックは、第１端子に前記画像信号が印加され、第２端子にＹ個のデータ線が連結され、第３端子にｎ番目のブロック選択信号が印加される少なくともＹ個の第１スイッチング素子を含み、
前記Ｘ個の予備充電選択スイッチブロックのうちのｎ番目の選択スイッチブロックは、それぞれ第１端子に前記第１予備充電信号又は第２予備充電信号が印加され、第２端子にＹ個のデータ線が連結され、第３端子にｎ−ｊ番目のブロック選択信号が印加される少なくともＹ個の第２スイッチング素子を含み、
前記第１及び第２スイッチング素子はそれぞれ前記第３端子に連結されたブロック選択信号によって前記第１端子に印加された画像信号及び第１、第２予備充電信号をデータ線に印加する請求項２３に記載の液晶表示装置の駆動装置。
【請求項２６】
前記第１及び第２スイッチング素子は、それぞれソースに前記画像信号及び第１、第２予備充電信号が印加され、ドレーンにＹ個のデータ線が連結され、ゲートに前記ブロック選択信号が印加されるMOSトランジスタである請求項２５に記載の液晶表示装置の駆動装置。
【請求項２７】
走査信号が伝達される多数の走査線と、前記多数の走査線と絶縁されて交差し、画像信号が伝達される多数のデータ線とを有する表示装置の駆動装置において、
前記走査信号を前記走査線に順次に印加するための走査ドライバと、
前記多数のデータ線を所定の数のデータ線が含まれるＸ個のブロックに分け、ｎ番目のブロックに含まれるデータ線に画像信号を印加すると同時にｎ＋ｊ番目のブロックに含まれるデータ線に予備充電信号を印加するデータドライバとを含み、
前記ｎ番目のブロックに含まれるデータ線に画像信号を印加するタイミングと、前記ｎ＋ｊ番目のブロックに予備充電電圧を印加するタイミングとは互いに同一である、表示装置の駆動装置。
【請求項２８】
前記データドライバは、前記Ｘ個のブロックのうちの対応する１つのブロックを選択するためのブロック選択信号を生成するブロック選択信号生成器と、
選択されたブロックに含まれる前記データ線に印加する画像信号を生成する画像信号生成器と、
選択されたブロックに含まれる前記データ線に印加する予備充電信号を生成する予備充電信号発生器と、
それぞれ前記画像信号をＸ個のブロックのうちの対応する１つのブロックに印加するようにスイッチングを行うＸ個の画像信号選択スイッチブロックと、
それぞれ前記予備充電信号をＸ個のブロックのうちの対応する１つのブロックに印加するようにスイッチングを行うＸ個の予備充電選択スイッチブロックとを含み、
前記ブロック選択信号のうちのｎ番目のブロック選択信号はｎ番目の画像信号選択スイッチブロックとｎ＋ｊ番目の予備充電選択スイッチブロックとを同時にターンオンさせる請求項２７に記載の表示装置の駆動装置。
【請求項２９】
多数のゲート線、前記多数のゲート線に絶縁されて交差する多数のデータ線、前記ゲート線と前記データ線との交差によって形成される行列形態の多数の画素、前記各画素に形成されて前記ゲート線に連結されるゲート電極と前記データ線に連結されるソース電極とを有する薄膜トランジスタを含む液晶表示装置の駆動方法において、
前記薄膜トランジスタをオンにするためのゲート駆動信号を前記ゲート線に順次に供給する段階と、
前記多数のデータ線を所定の数のデータ線が含まれるＸ個のブロックに分け、ｎ番目のブロックに含まれるデータ線に画像信号を印加すると同時にｎ＋ｊ番目のブロックに含まれるデータ線に予備充電電圧を印加する段階とを含み、
前記ｎ番目のブロックに含まれるデータ線に画像信号を印加するタイミングと、前記ｎ＋ｊ番目のブロックに予備充電電圧を印加するタイミングとは互いに同一である、液晶表示装置の駆動方法。
【請求項３０】
前記ｊは１であることを特徴とする請求項２９に記載の液晶表示装置の駆動方法。
【請求項３１】
ｉ番目の画素ラインの最後のブロックに含まれるデータ線に画像信号を印加する場合には、それと同時にｉ＋１番目の画素ラインの１番目のブロックに含まれるデータ線に予備充電電圧を印加することを特徴とする請求項３０に記載の液晶表示装置の駆動方法。
【請求項３２】
ｉ番目の画素ラインの１番目のブロックは別途に外部で１番目のブロック用予備充電信号を作って使用することを特徴とする請求項２９に記載の液晶表示装置の駆動方法。
【発明の詳細な説明】
【０００１】
【発明の属する技術分野】
本発明は表示装置とその駆動装置及び駆動方法に係り、特に薄膜トランジスタ液晶表示装置（thin film transistor liquid crystal display：以下‘TFT-LCD’と称する）とその駆動装置及び駆動方法に関する。
【０００２】
【従来の技術】
ＴＦＴ−ＬＣＤは２枚の基板の間に注入された異方性誘電率を有する液晶物質に電界を印加し、この電界の強さを調節して基板に透過される光の量を調節することによって所望する画像信号を得る表示装置である。ＴＦＴ−ＬＣＤは最近になって低消費電力、薄型、高解像度などの理由で過去に広く使用された陰極線管（cathode ray tube：CRT）にとってかわる表示装置として脚光を浴びている。
【０００３】
図１はＴＦＴ−ＬＣＤを示す図面である。
図１に示されているように、ＴＦＴ−ＬＣＤは一般にＬＣＤパネル１０、ゲートドライバ２０、データドライバ３０、タイミング制御器４０から構成される。
ＬＣＤパネル１０には複数のゲート線Ｇ１、Ｇ２、……、Ｇｎと、このゲート線に絶縁されて交差する複数のデータ線Ｄ１、Ｄ２、……、Ｄｍとが形成されており、ゲート線及びデータ線によって囲まれた領域（これを‘画素’という）にはそれぞれ複数のＴＦＴ１２が形成されている。ＴＦＴ１２のゲート電極、ソース電極、ドレーン電極はそれぞれゲート線、データ線、画素電極（図示しない）に連結される。この画素電極及び共通電極が形成されている対向基板間には液晶物質が注入される。この基板間に注入される液晶物質は等価的に液晶キャパシタ（capacitor）Ｃｌで示すことができる。
【０００４】
ゲートドライバ２０はＴＦＴをオン又はオフにするためのゲートオン／オフ電圧をゲート線に印加する。このとき、ゲートオン電圧はＬＣＤパネルのゲート線に順次に印加され、これによってゲート線に連結されたＴＦＴは順次にターンオンされる。
【０００５】
データドライバ３０は画像信号を現す階調電圧を各ゲート線に印加する。
【０００６】
タイミング制御器４０はグラフィック制御器（図示しない）から垂直同期信号（Ｖsync）、水平同期信号（Ｈsync）、クロック信号（ＣＬＫ）、データ信号（ＤＡＴＡ）の入力を受けて各種タイミング制御信号をゲートドライバ２０又はデータドライバ３０に出力する。
【０００７】
このように構成されるＴＦＴ−ＬＣＤの動作を説明すると次の通りである。
まず、表示しようとするゲート線に連結されたゲート電極にゲートオン電圧を印加してＴＦＴを導通させた後、画像信号を現す階調電圧をデータ線を通してソース電極に印加し、この階調電圧がドレーン電極に伝達されるようにする。これによって、階調電圧が画素電極に伝達され、画素電極と共通電極との電位差によって電界が形成される。この電界の強さは階調電圧の大きさによって調節され、この電界の強さによって基板に透過される光の量が調節される。
【０００８】
一方、ＴＦＴ−ＬＣＤが大型化されるのに伴って各データ線が有する寄生キャパシタ成分が次第に大きくなり、データ線に印加される階調電圧が充分に充電されず、結局、各画素に階調電圧が充分に伝達されないという問題点があった。このようなデータ線の充電特性を改善するために、各データ線を所定の電圧レベルに予め充電する予備充電（precharging）方法が従来に使用された。
【０００９】
一般に、ＴＦＴ−ＬＣＤにおいてｎ番目の水平ライン（画素ライン）に該当する画像データをサンプリングした後、前記サンプリングされたデータを各データ線に印加（writing）するとき、これと同時にｎ＋１番目の水平ラインに該当する画像データをサンプリングする。このとき、前記従来の予備充電方式によると、ｎ番目の水平ラインとｎ＋１番目の水平ラインのデータ印加時間（データイネーブル区間）の間の区間で予備充電を行う。
【００１０】
このようなデータ線予備充電方式の例が米国特許第５，４２６，４４７号と第５，５１０，８０７号に記載されている。
前記米国特許は、前述したように、ｎ番目の水平ラインとｎ＋１番目の水平ラインのデータイネーブル（data enable）区間の間、即ち、無効データ区間で予備充電を行い、またブロックアドレシング（block addressing）方式を使用する。
【００１１】
ブロックアドレシング方式は１つの画素ラインを多数のデータ線を有するブロックに分けて各ブロックを順次に選択する方式であって、例えば、６４０個のデータ線を有する表示装置において、データ線全体を６４個のデータ線を有する１０個のブロックに分割した後、６４個のデータ線を有する１０個のブロックを１つの水平期間内に順次に選択して画像データを選択されたブロック内のデータ線に印加する方式である。
【００１２】
【発明が解決しようとする課題】
図２はｎ番目の水平ラインとｎ＋１番目の水平ラインのデータイネーブル区間の間の区間で予備充電を行う従来の予備充電方式を示した図面である。図２において、有効データ区間とは１つの水平ラインにサンプリングされた画像データが印加される区間（データイネーブル区間）を意味する。
図２に示されているように、従来の予備充電方式は有効データ区間（データイネーブル区間）の間の区間、即ち、無効データ区間Ｐ１、Ｐ２、……でのみ予備充電を行うので、予備充電区間Ｐ１、Ｐ２、……が充分に大きくない場合には次のような問題点が発生する。
【００１３】
従来の予備充電方式によると、比較的短い予備充電区間でＬＣＤパネル全体のデータ線を所望する電圧レベルに予備充電しなければならないため、非常に大きな電流が必要になり、これによってシステムの電流駆動能力に相当な負担を与えるという問題点がある。例えば、１０２４×３（Ｒ、Ｇ、Ｂ）のデータ線を有するカラーＸＧＡパネルにおいて各データ線の寄生容量が８０ｐＦであると、ＸＧＡ液晶表示装置において１つの水平ラインに対して予備充電のために許容された最大時間（約４．６μｓｅｃ）内に１０２４×３×８０ｐＦ＝２４５．７ｎＦの大きなキャパシタンスを充電させなければならないため、非常に大きな最大電流が必要になる。
【００１４】
また、従来の予備充電方式は隣接する有効データ区間の間で予備充電を行うため、有効データ区間の間に区間がない場合、即ち隣接する有効データ区間がオーバラップしている場合には使用できないという問題点が存在する。
【００１５】
一方、ＴＦＴ−ＬＣＤが大型化されるのに伴って、一部のＴＦＴ−ＬＣＤではゲートオン信号をゲート線に印加することにおいて、まずゲートブロックを選択してから選択されたゲートブロック内に連結された各ゲート線にゲートオン信号を印加する方式を採択している。このようなＴＦＴ−ＬＣＤ構造は米国特許第５，０２８，９１６号、第４，７１４，９２１号、第５，４２６，４４７号などに記載されている。前記特許に記載されたゲートドライバ構造では多数のバスラインが必要になり、そのためにゲートドライバの回路面積が増加してドライバ製造時にラインオープン（Line Open）などの不良（Defect）が発生するという問題点がある。
【００１６】
本発明はこのような問題点を解決するためのものであって、その目的は予備充電に必要な最大電流を減少させて予備充電信号発生器の構成に多くの自由度を与え、無効データ区間の少ないシステムでも効果的に予備充電を遂行するようにすることにある。
【００１７】
また、本発明のほかの目的はゲートドライバに必要なバスラインの個数と回路の面積を減少させ、ライン欠陥などの不良を減少させることにある。
【００１８】
【課題を解決するための手段】
このような目的を達成するために、本発明の１つの特徴による液晶表示装置は、多数のゲート線、多数のデータ線、前記ゲート線に連結されるゲート電極と前記データ線に連結されるソース電極とを有する薄膜トランジスタを含む液晶表示装置パネルと；前記薄膜トランジスタをオンにするためのゲート駆動信号を前記ゲート線に順次に供給するためのゲートドライバと；前記Ｒ個のデータ線をＹ個のデータ線が含まれるＸ個のブロックに分けて、ｎ番目のブロックに含まれるデータ線に画像信号を印加すると同時にｎ＋ｊ番目のブロックに含まれるデータ線に予備充電電圧を印加するデータドライバとを含む。前記ｎ番目のブロックに含まれるデータ線に画像信号を印加するタイミングと、前記ｎ＋ｊ番目のブロックに予備充電電圧を印加するタイミングとは互いに同一である。
【００１９】
ここで、前記データドライバは、前記Ｘ個のブロックのうちの対応する１つのブロックを選択するためのブロック選択信号を生成するブロック選択信号生成器と；選択されたブロックに含まれる前記データ線に印加する画像信号を生成する画像信号生成器と；選択されたブロックに含まれる前記データ線に印加する予備充電電圧を生成する予備充電信号発生器と；それぞれ前記画像信号をＸ個のブロックのうちの対応する１つのブロックに印加するようにスイッチングを行うＸ個の画像信号選択スイッチブロックと；それぞれ前記予備充電電圧をＸ個のブロックのうちの対応する１つのブロックに印加するようにスイッチングを行うＸ個の予備充電選択スイッチブロックとを含む。このとき、前記ブロック選択信号のうちのｎ番目のブロック選択信号はｎ番目の画像信号選択スイッチブロックとｎ＋ｊ番目の予備充電選択スイッチブロックとを同時にターンオンさせる。
【００２０】
ここで、前記予備充電電圧は１つの電圧レベルであり得、それぞれ第１電圧レベルと第２電圧レベルを有する第１予備充電信号と第２予備充電信号とを含むことも可能である。
【００２１】
予備充電電圧が１つの電圧レベルである場合、前記Ｘ個の画像信号選択スイッチブロックのうちのｎ番目の選択スイッチブロックは、それぞれソースに前記画像信号が印加され、ドレーンにブロックに含まれるＹ個のデータ線が連結され、ゲートにｎ番目のブロック選択信号が印加される少なくともＹ個の第１MOSトランジスタを含み；前記Ｘ個の予備充電選択スイッチブロックのうちのｎ番目の選択スイッチブロックは、それぞれソースに前記予備充電電圧が印加され、ドレーンにブロックに含まれるＹ個のデータ線が連結され、ゲートにｎ−ｊ番目のブロック選択信号が印加される少なくともＹ個の第２MOSトランジスタを含む。
【００２２】
また、予備充電信号が第１予備充電信号と第２予備充電信号とを含む場合、前記Ｘ個の画像信号選択スイッチブロックのうちのｎ番目の選択スイッチブロックは、ソースに前記画像信号が印加され、ドレーンにブロックに含まれるＹ個のデータ線が連結され、ゲートにｎ番目のブロック選択信号が印加される少なくともＹ個の第１MOSトランジスタを含み；前記Ｘ個の予備充電選択スイッチブロックのうちのｎ番目の選択スイッチブロックは、それぞれソースに前記第１予備充電信号又は第２予備充電信号が印加され、ドレーンにブロックに含まれるＹ個のデータ線が連結され、ゲートにｎ−ｊ番目のブロック選択信号が印加される少なくともＹ個の第２MOSトランジスタを含む。
【００２３】
ここで、前記第１及び第２MOSトランジスタは前記液晶表示装置パネルの基板上に薄膜トランジスタにより製造されるのが好ましく、特に、前記薄膜トランジスタは多結晶シリコン又は単結晶シリコンからなるのが好ましい。
【００２４】
一方、本発明の１つの特徴による液晶表示装置の駆動装置は、薄膜トランジスタをオンにするためのゲート駆動信号をゲート線に順次に供給するためのゲートドライバと；データ線をＹ個のデータ線が含まれるＸ個のブロックに分け、ｎ番目のブロックに含まれるデータ線に画像信号を印加すると同時にｎ＋ｊ番目のブロックに含まれるデータ線に予備充電電圧を印加するデータドライバとを含む。前記ｎ番目のブロックに含まれるデータ線に画像信号を印加するタイミングと、前記ｎ＋ｊ番目のブロックに予備充電電圧を印加するタイミングとは互いに同一である。
【００２５】
ここで、前記データドライバは、前記Ｘ個のブロックのうちの対応する１つのブロックを選択するためのブロック選択信号を生成するブロック選択信号生成器と；選択されたブロックに含まれる前記データ線に印加する画像信号を生成する画像信号生成器と；選択されたブロックに含まれる前記データ線に印加する予備充電電圧を生成する予備充電信号発生器と；それぞれ前記画像信号をＸ個のブロックのうちの対応する１つのブロックに印加するようにスイッチングを行うＸ個の画像信号選択スイッチブロックと；それぞれ前記予備充電電圧をＸ個のブロックのうちの対応する１つのブロックに印加するようにスイッチングを行うＸ個の予備充電選択スイッチブロックとを含む。このとき、前記ブロック選択信号のうちのｎ番目のブロック選択信号はｎ番目の画像信号選択スイッチブロックとｎ＋ｊ番目の予備充電信号選択スイッチブロックとを同時にターンオンさせる。
【００２６】
ここで、前記ｊは１であるのが好ましく、この場合にｉ番目の画素ラインの１番目のブロックの予備充電のために１番目の予備充電選択スイッチブロックに印加されるブロック選択信号としては、ｉ−１番目の画素ラインの最後のブロックに画像信号を印加するために最後の画像信号選択スイッチブロックに印加されるブロック選択信号が使用され得る。
【００２７】
また、ｉ番目の画素ラインの１番目のブロックの予備充電のために１番目の予備充電選択スイッチブロックに印加されるブロック選択信号としては、別途の１番目のブロック用予備充電信号を作って使用することも可能である。このとき、前記１番目のブロック用予備充電信号は１つの水平同期信号区間のうちの無効データ区間で生成されるのが好ましい。
【００２８】
一方、本発明の１つの特徴による表示装置の駆動装置は、走査信号を多数の走査線に順次に印加するための走査ドライバと；多数のデータ線をＹ個のデータ線が含まれるＸ個のブロックに分け、ｎ番目のブロックに含まれるデータ線に画像信号を印加すると同時にｎ＋ｊ番目のブロックに含まれるデータ線に予備充電信号を印加するデータドライバとを含む。前記ｎ番目のブロックに含まれるデータ線に画像信号を印加するタイミングと、前記ｎ＋ｊ番目のブロックに予備充電電圧を印加するタイミングとは互いに同一である。
【００２９】
一方、本発明の１つの特徴による液晶表示装置の駆動方法は、薄膜トランジスタをオンにするためのゲート駆動信号をゲート線に順次に供給する段階と；多数のデータ線をＹ個のデータ線が含まれるＸ個のブロックに分け、ｎ番目のブロックに含まれるデータ線に画像信号を印加すると同時にｎ＋ｊ番目のブロックに含まれるデータ線に予備充電電圧を印加する段階とを含む。前記ｎ番目のブロックに含まれるデータ線に画像信号を印加するタイミングと、前記ｎ＋ｊ番目のブロックに予備充電電圧を印加するタイミングとは互いに同一である。
【００３０】
一方、本発明の参考例による液晶表示装置は、Ｒ個のゲート線、前記ゲート線に絶縁されて交差する多数のデータ線、前記ゲート線に連結されるゲート電極と前記データ線に連結されるソース電極とを有する多数の薄膜トランジスタを含む液晶表示装置パネルと；前記データ線に画像を現す階調電圧を印加するためのデータドライバと；前記薄膜トランジスタをオンにするためのゲート駆動信号を前記ゲート線に順次に供給するためのゲートドライバとを含む。ここで、前記Ｒ個のゲート線は最大でＹ個のゲート線が含まれ得る多数のブロックに分けられ、前記多数のブロックは最大でＸ個のブロックが含まれ得るＺ個のグループに分けられて前記ゲートドライバに連結される。
【００３１】
このとき、前記ゲートドライバは、前記Ｚ個のグループのうちの１つのグループを選択するためのグループ選択信号を生成するグループ選択信号生成器と；前記グループに含まれる前記Ｘ個のブロックのうちの１つのブロックを選択するためのブロック選択信号を生成するブロック選択信号生成器と；前記ブロックに含まれるＹ個のゲート線のうちの１つの信号を選択するためのサブ信号を生成するサブ信号生成器と；前記グループ選択信号、前記ブロック選択信号、前記サブ信号の入力を受けて前記ゲート駆動信号を出力するゲートアレイとを含む。
【００３２】
一方、本発明の参考例による表示装置の駆動装置は、データ線に画像信号を印加するためのデータドライバと；走査信号をＲ個の走査線に順次に供給して前記データ線に印加された画像信号がディスプレイされるようにする走査ドライバとを含む。ここで、前記Ｒ個の走査線は最大でＹ個の走査線が含まれ得る多数のブロックに分けられ、前記多数のブロックは最大でＸ個のブロックが含まれ得るＺ個のグループに分けられて前記走査ドライバに連結される。
【００３３】
一方、本発明の参考例による液晶表示装置の駆動方法は、Ｒ個のゲート線を最大でＹ個のゲート線が含まれ得る多数のブロックに分け、前記多数のブロックを最大でＸ個のブロックが含まれ得るＺ個のグループに分ける段階と；前記Ｚ個のグループのうちの１つのグループを選択する段階と；前記選択されたグループに含まれる前記Ｘ個のブロックのうちの１つのブロックを選択する段階と；前記選択されたブロックに含まれるＹ個のゲート線のうちの１つの信号を選択して前記薄膜トランジスタをオンにするためのゲート信号を印加する段階とを含む。
【００３４】
【発明の実施の形態】
以下、図面に基づいて本発明の実施例を詳細に説明する。
まず、図３に基づいてブロックアドレシング方式について説明する。図３はブロックアドレシングのためのデータドライバを示す図面である。
図３に示されているように、ブロックアドレシングのためのデータドライバは、ブロック選択信号生成器１００、画像信号処理器２００、スイッチブロック３００ａ、３００ｂ、……からなる。
図３において、データ線全体はＸ個のブロックに分けられ、それぞれのブロックはＹ個のデータ線に連結される。
【００３５】
ブロック選択信号生成器１００はＸ個のブロックのうちの１つのブロックを選択するためのブロック選択信号ＢＳ１、ＢＳ２、……、ＢＳｘを出力する。ここで、信号ＢＳ１、ＢＳ２、……、ＢＳｘはそれぞれ第１ブロック、第２ブロック、……、第Ｘブロックを選択するための信号である。これらブロック信号はそれぞれスイッチブロック３００ａ、３００ｂ、……３００ｘに印加され、ハイ状態（又はロー状態）のブロック信号が印加されるスイッチブロックはターンオンされる。このとき、ブロック選択信号生成器１００はＸ個のブロックを順次に選択する。
【００３６】
画像信号処理器２００は選択されたブロックに画像データＳＩＧ１、ＳＩＧ２、……、ＳＩＧｙを印加する。即ち、画像信号処理器２００から出力される画像データはブロック選択信号生成器１００によってターンオンされたスイッチブロックを通してＬＣＤパネルのデータ線に印加される。
【００３７】
ブロックアドレシング方式では、データ線全体の個数をＲとするとき、ブロックの個数Ｘと各ブロックに含まれるデータ線の個数Ｙは次の式を満たさなければならない。
〔式１〕
Ｘ×Ｙ≧Ｒ
例えば、１０２４×３（＝３０７２）個のデータ線を有するＸＧＡパネルの場合、それぞれのブロックに１９２個ずつのデータ線が連結される１６個のブロックから構成することができ、この場合にはＸ×Ｙ＝３０７２となって余分のデータ線が発生しない。また、Ｙ＝２２０、Ｘ=１４のようにＸ×Ｙ＞３０７２となるようにすることもでき、この場合、１番目のブロック又は最後のブロックに連結されたデータ線の個数を２２０より小さくする。
【００３８】
次は本発明の実施例によるデータドライバを図４に基づいて説明する。
図４に示されているように、本発明の実施例によるデータドライバは、ブロック選択信号生成器１００、画像信号処理器２００、予備充電信号発生器４００、画像信号選択スイッチブロック３２０ａ、３２０ｂ、……、予備充電信号選択スイッチブロック３４０ａ、３４０ｂ、……からなる。
【００３９】
ブロック選択信号生成器１００はブロック選択信号ＢＳ１、ＢＳ２、……、ＢＳｘを画像選択スイッチブロック３２０ａ、３２０ｂ、……と予備充電信号選択スイッチブロック３４０ａ、３４０ｂ、……に出力する。このとき、ｎ番目のブロック選択信号はｎ番目の画像信号選択スイッチブロックとｎ＋１番目の予備充電信号選択スイッチブロックとに入力されて前記スイッチをターンオンする。
【００４０】
画像信号処理器２００は選択されたブロックに画像データＳＩＧ１、ＳＩＧ２、……、ＳＩＧｙを印加する。即ち、画像信号処理器２００から出力される画像データはブロック選択信号生成器１００によってターンオンされたスイッチブロックを通してＬＣＤパネルのデータ線に印加される。
【００４１】
予備充電信号発生器４００は予備充電選択スイッチブロック３４０ａ、３４０ｂ、……に所定の電圧レベルを有する予備充電信号ＰＣを印加する。この予備充電信号は前記ブロック選択信号生成器１００のブロック選択信号によってターンオンされた予備充電選択スイッチブロックを通してＬＣＤパネルのデータ線に印加される。
【００４２】
図４に示されている本発明の実施例では、ｎ番目のブロックを選択する信号が印加されるとその信号はＹ個の画像信号線が連結されたｎ番目の画像信号選択スイッチブロックと予備充電信号線が連結されたｎ＋１番目の予備充電選択スイッチブロックとに伝達されて前記スイッチをターンオンする。これによって、ｎ番目の画像信号選択スイッチブロックに連結されたＬＣＤパネルのデータ線に画像信号ＳＩＧ１、ＳＩＧ２、……、ＳＩＧｙが伝達され、ｎ＋１番目の予備充電選択スイッチブロックに連結されたＬＣＤパネルのデータ線には予備充電信号ＰＣが伝達されて、所定の電圧レベルに前記データ線を予備充電（又は予備放電）する。このとき、予備充電（又は予備放電）される所定の電圧レベルは画像信号の中間値と同一の１つの値であることが可能であり、それぞれのデータ線に印加される画像信号に近似した２つ又はそれ以上の値であることも可能である。
【００４３】
このように、本発明の実施例では、画像信号がｎ番目のブロックに連結されるデータ線に伝達されると、これと同時にｎ＋１番目のブロックに連結されるデータ線が所定の電圧レベルに予備充電される。
【００４４】
図５は本発明の第１実施例による図４の画像信号選択スイッチブロックと予備充電選択スイッチブロックとを詳細に示した図面である。
図５に示されているように、本発明の第１実施例による画像信号選択スイッチブロック３５０ｎ、３５０ｎ＋１と予備充電選択スイッチブロック３６０ｎ、３６０ｎ＋１は多数のＭＯＳ（metal oxide semiconductor）トランジスタからなる。
【００４５】
図５で、ｎ番目のブロックの画像信号選択スイッチブロック３５０ｎはＹ個のＭＯＳトランジスタからなり、これらＭＯＳトランジスタのソースにはそれぞれ画像信号ＳＩＧ１、ＳＩＧ２、……、ＳＩＧｙが連結され、ゲートには共通にｎ番目のブロック選択信号ＢＳｎが連結される。また、これらＭＯＳトランジスタのドレーンはそれぞれＬＣＤパネルのデータ線に連結される。
【００４６】
一方、ｎ＋１番目のブロックの予備充電信号選択スイッチブロック３６０ｎ＋１はＹ個のＭＯＳトランジスタからなり、これらＭＯＳトランジスタのソースには共通に予備充電信号ＰＣが連結され、ゲートには共通にｎ番目のブロック選択信号ＢＳｎが連結される。また、これらＭＯＳトランジスタのドレーンはそれぞれＬＣＤパネルのデータ線に連結される。
【００４７】
図５で、例えば、ｎ番目のブロック選択信号ＢＳｎがハイ状態になると、ｎ番目の画像信号選択スイッチブロック３５０ｎのトランジスタとｎ＋１番目の予備充電選択スイッチブロック３６０ｎ＋１のトランジスタとがターンオンされ、これによって画像信号ＳＩＧ１、ＳＩＧ２、……、ＳＩＧｙがｎ番目の画像信号選択スイッチブロック３５０ｎのトランジスタのドレーンに連結されたデータ線に伝達され、予備充電信号ＰＣがｎ＋１番目の予備充電選択スイッチブロック３６０ｎ＋１のトランジスタのドレーンに連結されたデータ線に伝達される。
【００４８】
このような本発明の第１実施例による予備充電（又は予備放電）方式の効果を図６（ａ）ないし６（ｄ）に基づいて説明する。
図６（ａ）及び６（ｃ）はそれぞれ、ｎ−１番目のブロック区間で画像信号の最大値（Ｖmax）と最小値（Ｖmin）との中間値（Ｖcenter）で予備充電／予備放電を行った場合のｎ番目のブロック区間においてデータ線に印加された画像信号の変化量を示し、図６（ｂ）及び６（ｄ）はそれぞれ、ｎ−１番目のブロック区間で予備充電／予備放電を行わなかった場合のｎ番目のブロック区間においてデータ線に印加された画像信号の変化量を示す。
図６（ａ）ないし６（ｄ）から、予備充電／予備放電を前のブロックで行った場合が行わなかった場合に比べて希望する最終画像信号レベルを充分に得ることができるのがわかる。
【００４９】
図７は本発明の第２実施例による画像信号選択スイッチブロックと予備充電選択スイッチブロックとを詳細に示した図面である。
図７に示されているように、本発明の第２実施例による画像信号選択スイッチブロック３７０ｎ、３７０ｎ＋１及び予備充電選択スイッチブロック３８０ｎ、３８０ｎ＋１は多数のＭＯＳトランジスタからなる。
【００５０】
図７で、ｎ番目のブロックの画像信号選択スイッチブロック３７０ｎはＹ個のＭＯＳトランジスタからなり、これらＭＯＳトランジスタのソースにはそれぞれ画像信号ＳＩＧ１、ＳＩＧ２、……、ＳＩＧｙが連結され、ゲートには共通にｎ番目のブロック選択信号ＢＳｎが連結される。また、これらＭＯＳトランジスタのドレーンはそれぞれＬＣＤパネルのデータ線に連結される。
【００５１】
一方、ｎ＋１番目のブロックの予備充電信号選択スイッチブロック３８０ｎ＋１はＹ個のＭＯＳトランジスタからなり、これらＭＯＳトランジスタのうちの奇数番目のＭＯＳトランジスタのソースには共通に第１予備充電信号ＰＣ１が連結され、偶数番目のＭＯＳトランジスタのソースには共通に第２予備充電信号ＰＣ２が連結される。また、これらＭＯＳトランジスタのゲートには共通にｎ番目のブロック選択信号ＢＳｎが連結され、ドレーンはそれぞれＬＣＤパネルのデータ線に連結される。
【００５２】
図７で、第１予備充電信号ＰＣ１と第２予備充電信号ＰＣ２とは、それぞれ画像信号の最大値（Ｖmax）と中間値（Ｖcenter）との間の値（以下ではこれを‘陽の値’という）と、最小値（Ｖmin）と中間値との間の値（以下ではこれを‘陰の値’という）になるようにするのが好ましく、前記ＰＣ１とＰＣ２とはそれぞれフレーム単位でその値が陽又は陰に変化する。
【００５３】
図７で、例えばｎ番目のブロック選択信号ＢＳｎがハイ状態になると、ｎ番目の画像信号選択スイッチブロック３７０ｎのトランジスタとｎ＋１番目の予備充電選択スイッチブロック３８０ｎ＋１のトランジスタがターンオンされ、これによって、画像信号ＳＩＧ１、ＳＩＧ２、……、ＳＩＧｙがｎ番目の画像信号選択スイッチブロック３７０ｎのトランジスタのドレーンに連結されたデータ線に伝達され、予備充電信号ＰＣ１、ＰＣ２がｎ＋１番目の予備充電選択スイッチブロック３８０ｎ＋１のトランジスタのドレーンに連結されたデータ線に伝達される。
【００５４】
このような本発明の第２実施例による予備充電方式の効果を図８ないし図９に基づいて説明する。
図８（ａ）及び８（ｃ）はそれぞれｎ−１番目のブロック区間で第１充電信号ＰＣ１（又は第２充電信号ＰＣ２）で予備充電／予備放電を行った場合のｎ番目のブロック区間でデータ線に印加された画像信号の変化量を示し、図８（ｂ）及び９（ａ）はそれぞれ予備充電／予備放電を行わなかった場合のｎ番目のブロック区間でデータ線に印加された画像信号の変化量を示す。また、図９（ｂ）は米国特許第５，４２６，４４７号と第５，５１０，６０７号に記載された方式によって予備充電／予備放電を行った場合のデータ線に印加された画像信号の変化量を示す図面である。
【００５５】
図９（ｂ）で、ＬＣＤパネルの全てのデータ線は１番目のブロックが選択される前の区間で予備充電され、この充電された値はｎ番目のブロックが選択されて画像信号がデータ線に印加されるまで維持される。しかし、前述したように、前記米国特許は予備充電区間が短い場合に所定の電圧レベルに予備充電するために多くの電流をデータ線に供給しなければならないという問題点がある。
従って、図８（ａ）ないし９（ｂ）から、予備充電／予備放電を以前のブロックで行う場合が行わない場合に比べて所望する最終画像信号レベルを充分に得ることができるのがわかる。
【００５６】
一方、本発明の第１実施例及び第２実施例において、画像ラインの１番目のブロックは前の画素ラインの最後のブロック選択信号を予備充電（又は予備放電）するのに使用することが可能であり、別途の１番目のブロック用予備充電信号を作って使用することも可能である。
【００５７】
図１０は１番目のブロックの予備充電信号を外部から別途に印加する方式のタイミングチャートを示す図面である。
図９に示されているように、１つの水平同期信号（ＨＳＹＮＣ）区間（１Ｈ）は無効（invalid）データ区間と有効（valid）データ区間とからなる。図１０においてブロック選択信号ＢＳ１、ＢＳ２、ＢＳ３、……ＢＳ７はそれぞれ画像信号ＳＩＧ１、ＳＩＧ２、……、ＳＩＧ７を印加する１番目のブロック、２番目のブロック、……、７番目のブロックを選択するための信号であり、これらブロック信号は、前述したように、予備充電（又は予備放電）のために次のブロックにも印加される。これらブロック選択信号ＢＳ１、ＢＳ２、ＢＳ３、……、ＢＳ７は有効データ区間でのみハイ状態になる。図１０においてブロック選択信号ＢＳｅは１番目のブロックを予備充電するために使用されるブロック選択信号であって、無効データ区間でハイ状態になる。
【００５８】
一方、図５及び図７に示した選択スイッチブロックはＬＣＤパネルと分離される１つのモジュール（又はチップ）形態にしてＬＣＤパネルのデータ線に連結して製造することができ、また、ＬＣＤパネルの基板上に薄膜トランジスタを利用して直接製造することもできる。このとき、薄膜トランジスタとしては多結晶シリコン或いは単結晶シリコンが利用され得る。以上で説明した本発明の実施例ではｎ番目のブロックに画像信号を印加するときにｎ＋１番目のブロックに連結されたデータ線が予備充電又は予備放電される場合を例として説明したが、それ以外に、ｎ＋ｊ番目のブロックに連結されたデータ線が予備充電又は放電するようにすることができるのも勿論である。ここで、ｊは１、２、３の如何なる数字であっても可能であり、また、その組合せも可能であるが、ブロックの数（Ｘ）よりは少なくなければならない。この場合のデータドライバの詳細な構造は、図５及び図７からこの分野の専門家であれば容易に考え出すことができるため、その図示は省略する。
【００５９】
また、この場合、画素ラインの１番目のブロックは前の画素ラインの最後のブロックからｊ−１番目前の選択信号を予備充電（又は予備放電）するのに使用することもでき、別途の１番目のブロック用予備充電信号を作って使用することもできる。
【００６０】
以上で説明した本実施例の予備充電方式は、既存の各水平ライン時間の間に予備充電を行う方式に比べてデータ線を数回（ブロック区間ごとに）予備充電するため、システムに要求される最大電流を減少させることができる。例えば、３０７２個のデータ線を有するカラーＸＧＡパネルの場合、各データ線の寄生容量を８０ｐＦとするとき、データ線全体を一回で予備充電する場合には８０ｐＦ×３０７２＝２４５．７６ｎＦを一回で予備充電しなければならないが、本発明の実施例のように１６個のブロックに分けて順次に予備充電する場合には一回に１５．３６ｎＦずつ予備充電すればよいので、必要な最大電流が大幅に減少するようになる。
【００６１】
図１１はこのような従来の予備充電方式と本発明の予備充電方式における電流変化を示した図面である。
図１１から、予備充電信号発生器において消費電力が一定であるとしても、本発明の場合がピーク電流の値が小さいため予備充電信号発生器の構成に多くの自由度を与えることがわかる。また、図１１において既存の予備充電方式では無効データ区間でのみ予備充電を行うのに対して、本発明では有効データ区間でも予備充電を行うことができるので、無効データ区間の少ないシステム（或いは無効データ区間の無いシステム）でも効果的に予備充電を遂行することができる。
【００６２】
以上で本発明の実施例によるデータドライバについて説明したが、本発明は前述の実施例に限定されるものではなく、多様な変形及び変更が可能であるのは勿論である。
例えば、本発明の実施例ではＴＦＴ−ＬＣＤに使用される駆動装置を例として説明したが、本発明は画像信号が印加されるデータ線に予備充電が必要な全てのディスプレイに適用することが可能であるのは勿論である。
また、図５及び図７では選択スイッチブロックをＭＯＳトランジスタを利用して具現したが、それ以外にもバイポーラトランジスタ或いはトランスミッションゲートなどを利用して具現することも可能であるのは勿論である。
【００６３】
次は本発明の実施例によるゲートドライバについて詳しく説明する。
図１２は本発明の実施例によるゲートドライバを詳細に示した図面である。
図１２に示されているように、本発明の実施例によるゲートドライバはグループ選択信号生成器５１０、ブロック選択信号生成器５２０、サブ信号生成器５３０、ゲートアレイ５４０からなる。
【００６４】
ゲートアレイ５４０は多数のＡＮＤゲートＡ１、Ａ２、Ａ３、……からなり、これらＡＮＤゲートの各出力端子はＬＣＤパネルの各ゲート線に連結される。このゲートアレイはＺ個のゲートグループに細分され、各ゲートグループはＸ個のゲートブロックに細分される。各ゲートブロックはＹ個のＡＮＤゲートを含む。
【００６５】
グループ選択信号生成器５１０はゲートアレイのＺ個のグループのうちの１つのグループを選択するためのグループ選択信号Ｓｇを出力する。このグループ選択信号（Ｓｇ）はＺ個のバスラインを通して各ゲートグループに伝達される。
【００６６】
ブロック選択信号生成器５２０はグループ内のＸ個のブロックのうちの１つのブロックを選択するためのブロック選択信号Ｓｂを出力する。このブロック選択信号ＳｂはＸ個のバスラインを通して各グループ内のゲートブロックに共通に伝達される。
【００６７】
サブ信号生成器５３０はブロック内のＹ個のＡＮＤゲートのうちの１つのＡＮＤゲートを選択するためのサブ信号Ｓｓを出力する。このサブ信号はＹ個のバスラインを通して各ゲートブロックのＡＮＤゲートに出力される。
【００６８】
ゲートアレイ５４０の各ＡＮＤゲートはこれらグループ選択信号、ブロック選択信号、サブ信号を受信してこれら信号に対してＡＮＤ演算を遂行する。このゲートアレイの出力信号はＬＣＤパネルのゲート線に出力される。
【００６９】
図１３は、本発明の実施例によるゲートドライバにおいて、グループ選択信号生成器５１０、ブロック選択信号生成器５２０、サブ信号生成器５３０からそれぞれ出力されるグループ選択信号Ｓｇ、ブロック選択信号Ｓｂ、サブ信号Ｓｓ、ゲートアレイ５４０から出力される出力信号ｏｕｔの波形を示す図面である。
図１３に示されているように、１つのグループ選択信号がハイ状態である区間では、Ｘ個（図１３では４つ）のブロック選択信号が順次にハイ状態になった後でロー状態になる。また、１つのブロック選択信号がハイ状態である区間では、Ｙ個のサブ信号が順にハイ状態になった後でロー状態になる。
【００７０】
これらグループ選択信号、ブロック選択信号及びサブ信号は図１２のＡＮＤゲートの入力端子にそれぞれ印加されるので、各ＡＮＤゲートの出力信号ｏｕｔは、図１３に示されているように、順にハイ状態になった後でロー状態になる。このＡＮＤゲートの出力信号はゲート駆動信号としてＬＣＤパネルの各ゲート線に印加される。
【００７１】
上述したように、本発明の実施例によるゲートドライバによると、ゲートアレイ５４０の各ＡＮＤゲートはＲ個のゲート線に連結され、このとき、ＡＮＤゲートに連結されるＲ個のゲート線は、まず最大でＹ個のゲート線を含む多数のブロックに分けられ、多数のブロックを再度最大でＸ個のブロックを含むＺ個のグループに分けられる。このとき、Ｚ×Ｘ×Ｙ≧Ｒの関係が成立する。
【００７２】
例えば、７６８個のゲート線を有するＸＧＡパネルの場合、本発明の実施例によると、まず、ゲート線全体を１２個のゲート線を含む６４個のブロックに分け、前記６４個のブロックを８個のブロックを含む８個のグループに分けた後、ゲートアレイに連結することができる。即ち、Ｚ、Ｘ、Ｙをそれぞれ８、８、１２とすることができる。このようにゲートドライバを構成する場合には８＋８＋１２＝２８個のバスラインが必要になるので、従来の技術に比べてバスラインの数を顕著に減少させることができる。
【００７３】
また、ゲート線の数（Ｒ）が１０２４個であるＳＸＧＡの場合にも、本発明の実施例によると、“Ｚ×Ｘ×Ｙ≧Ｒ”を満たす適正な数を選択してゲートドライバを構成すれば、バスラインを減少させることができる。このとき、Ｘ、Ｙ、Ｚの選択は信号伝達ラインの個数（即ち、Ｘ＋Ｙ＋Ｚの値）が最少になるようにするのが好ましい。
【００７４】
一方、ゲート線全体の個数Ｒが、グループの個数（Ｚ）、ブロックの個数（Ｘ）、及び各ブロックが含み得るゲート線の個数（Ｙ）を乗算した個数より少ないときには、１番目のグループ又は最後のグループに含まれるブロック（又はゲート線）の個数が他のグループより少なくなるようにしてゲートアレイに連結する。
【００７５】
以上では本発明の実施例によるゲートドライバについて説明したが、それ以外の多様な変形及び変更が可能であるのは勿論である。
例えば、図１２のゲートアレイ５４０のＡＮＤゲートを、図１４に示されているように、ＮＡＮＤゲート５５１、このＮＡＮＤゲートに直列に連結されたインバータ５５２、５５３、５５４に置き換えることができる。このとき、ＮＡＮＤゲート５５１、インバータ５５２、５５３、５５４は等価的にＡＮＤゲートで示すことができる。図１４に示されているように、多数のインバータとＮＡＮＤゲートとを使用して等価的にＡＮＤゲートを構成すると、ＬＣＤパネルのゲート線に供給するゲート信号の電流駆動能力を向上させることができる。これはＮＡＮＤ５５１に連結されるインバータ５５２、５５３、５５４の大きさを図１４に示されているように次第に大きくすると、即ち、電流の駆動能力が次第に大きくなるようにすると、ゲートオン信号を効果的にゲート線に伝達することができるためである。
【００７６】
また、図１２及び図１４に示したＡＮＤゲート、ＮＡＮＤゲート、インバータなどの素子は、ＮＭＯＳトランジスタ、ＰＭＯＳトランジスタ、トランスミッションゲート又はその組合せからなる素子を利用して製造することができる。
【００７７】
一方、図１２及び図１４に示したゲートドライバはＬＣＤパネルと分離される１つのモジュール（又はチップ）形態にして、ＬＣＤパネルのゲート線に連結して製造することができ、また、ＬＣＤパネルの基板上に薄膜トランジスタを利用して直接製造することも可能である。このとき、薄膜トランジスタとしては多結晶シリコン又は単結晶シリコンが利用され得る。
【００７８】
また、ゲートドライバのうちのゲートアレイのみを薄膜トランジスタを利用してＬＣＤパネルの基板に直接製造し、他の構成要素は別途の独立したモジュール形態に製造することも可能である。
【００７９】
また、上述した実施例ではゲート線をまずブロックに分けた後、再度ブロックをグループに分けてゲートドライバを構成したが、このグループを再度上位グループにさらに分け続けることができるのは勿論である。この場合には上位グループを選択するための選択信号発生器がさらに必要であり、ゲートアレイのＡＮＤゲートはより多くの数の入力ピンが必要になる。
【００８０】
また、本発明の実施例ではＴＦＴ−ＬＣＤに使用されるゲートドライバ（走査ドライバ）を例として説明したが、本発明のゲートドライバ（走査ドライバ）は、垂直ラインに画像信号が印加されて水平ラインにこの画像信号を順次に伝達するための走査（scanning）信号を印加する他のディスプレイ（例えば、プラズマディスプレイパネルＰＤＰ、電界効果発光素子ＦＥＤなど）にも適用することができるのは勿論である。
【００８１】
【発明の効果】
以上で説明したように、本発明によると、以前のブロック区間で予め予備充電を行った後で画像信号をデータ線に印加するため、予備充電に必要な最大電流を減少させることができ、無効データ区間が少ないシステムでも効果的に予備充電を遂行することができる。
また、本発明はゲート線を多数個のブロックに分割し、このブロックを再度多数個のグループに分割した後、グループ選択信号、ブロック選択信号、サブ信号を印加してゲート信号を各ゲート線に順次に印加するため、バスラインの数と回路の面積を減少させ、ライン欠陥などの不良を減少させることができる。
【図面の簡単な説明】
【図１】薄膜トランジスタ液晶表示装置を示す図面である。
【図２】ｎ番目の水平ラインとｎ＋１番目の水平ラインとのデータインエーブル区間の間で予備充電を行う従来の予備充電方式を示す図面である。
【図３】ブロックアドレシングのためのデータドライバを示す図面である。
【図４】本発明の実施例によるデータドライバを示す図面である。
【図５】本発明の第１実施例による選択スイッチブロックを詳細に示す図面である。
【図６】本発明の第１実施例による予備充電効果を示す図面である。
【図７】本発明の第２実施例による選択スイッチブロックを詳細に示す図面である。
【図８】本発明の第２実施例による予備充電効果を示す図面である。
【図９】本発明の第２実施例による予備充電効果を示す図面である。
【図１０】本発明の実施例において１番目のブロックの予備充電信号を外部から別途に印加する方式のタイミングチャートを示す図面である。
【図１１】従来の予備充電方式と本発明の実施例の予備充電方式における予備充電信号発生器の電流変化を示す図面である。
【図１２】本発明の実施例によるゲートドライバを示す図面である。
【図１３】図１２のゲートドライバの各種信号波形を示す図面である。
【図１４】本発明の実施例によるゲートドライバの変形例を示す図面である。
【符号の説明】
１００  ブロック選択信号生成器
２００  画像信号処理器
３００ａ、３００ｂ、…  スイッチブロック
３２０ａ、３２０ｂ、…  画像信号選択スイッチブロック
３４０ａ、３４０ｂ、…  予備充電信号選択スイッチブロック
４００  予備充電信号発生器
【図１】
0004651761.tif 000002
【図２】
0004651761.tif 000003
【図３】
0004651761.tif 000004
【図４】
0004651761.tif 000005
【図５】
0004651761.tif 000006
【図６】
0004651761.tif 000007
【図７】
0004651761.tif 000008
【図８】
0004651761.tif 000009
【図９】
0004651761.tif 000010
【図１０】
0004651761.tif 000011
【図１１】
0004651761.tif 000012
【図１２】
0004651761.tif 000013
【図１３】
0004651761.tif 000014
【図１４】
0004651761.tif 000015